【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
少なくとも１つの画像を選択するためのコンピュータ実施方法であって、前記方法は、
前記コンピュータへのインターフェースを用いて複数の画像を受け取ることと、
メモリ上に記憶される命令を実行する少なくとも１つのプロセッサによって、前記複数の画像に関連するコンテキストを受け取ることと、
少なくとも１つのエンジンを選択して、前記受け取られたコンテキストに基づいて前記複数の画像を分析することであって、前記選択されたエンジンは、前記複数の画像の好ましいコンテンツを検出するための前記コンテキストに関連するルーチンを実行する、ことと、
前記少なくとも１つの選択されたエンジンを用いて、前記複数の画像の好ましいコンテンツを検出するための前記コンテキストに関連する前記ルーチンを実行することによって、前記複数の画像を分析することと、
前記プロセッサを用いて、少なくとも１つの実行されたルーチンの結果に基づいて、前記複数の画像のうちの少なくとも１つを選択することと
を備える、方法。
【請求項２】
前記コンテキストはユーザから受け取られる、請求項１に記載の方法。
【請求項３】
前記プロセッサを用いて、前記複数の画像のそれぞれにコンテキストスコアを割り当てることをさらに備える、請求項１に記載の方法であって、前記コンテキストスコアは、前記コンテキストと関連する前記少なくとも１つのルーチンによって決定される、方法。
【請求項４】
前記コンテキストスコアは、画像のコンテキスト、画像のＥＸＩＦデータ、場所データ、画像の撮影者、画像にアクセスするユーザ、画像中の物体、画像中の人々、画像の焦点、及び、ユーザの画像との相互作用のうちの少なくとも１つに基づく、請求項３に記載の方法。
【請求項５】
前記複数の画像のうちの前記少なくとも１つを選択することは、画像の向き、画像捕捉時間、画像中の人々、場所データ、及び画像中の物体のうちの少なくとも１つを用いて、前記複数の画像のうちの少なくとも１つを選択することを含む、請求項１に記載の方法。
【請求項６】
前記コンテキストを提供するために、前記プロセッサを用いて、前記複数の画像の前記コンテキストを予測することをさらに備える、請求項１に記載の方法。
【請求項７】
前記選択された複数の画像のうちの少なくとも１つの第１の画像を第１のユーザへ提示することと、前記選択される複数の画像のうちの少なくとも１つの第２の画像を第２のユーザへ提示することとをさらに備える、請求項１に記載の方法。
【請求項８】
前記少なくとも１つの選択された画像を、権限のある複数のユーザへ共有することをさらに備える、請求項１に記載の方法。
【請求項９】
前記選択された複数の画像は、異なる時期にわたって撮影された、請求項１に記載の方法。
【請求項１０】
前記選択された複数の画像は、異なる場所にわたって撮影された、請求項１に記載の方法。
【請求項１１】
少なくとも１つの画像を選択するためのコンピュータ実施システムであって、前記システムは、
少なくとも複数の画像を受け取るための前記コンピュータへのインターフェースと、
少なくとも１つのプロセッサと
を備え、前記プロセッサは、
前記複数の画像に関連するコンテキストを受け取ることと、
少なくとも１つのエンジンを選択して、前記受け取られたコンテキストに基づいて前記複数の画像を分析することであって、前記選択されたエンジンは、前記複数の画像の好ましいコンテンツを検出するための前記コンテキストに関連するルーチンを実行する、ことと、
前記少なくとも１つの選択されたエンジンを用いて、前記複数の画像の好ましいコンテンツを検出するための前記コンテキストに関連する前記ルーチンを実行することによって、前記複数の画像を分析することと、
少なくとも１つの実行されるルーチンの結果に基づいて、前記複数の画像のうちの少なくとも１つを選択することと
を行うように、メモリ上に記憶される命令を実行する、方法。
【請求項１２】
前記コンテキストはユーザから受け取られる、請求項１１に記載のシステム。
【請求項１３】
前記少なくとも１つのプロセッサは、前記少なくとも１つのプロセッサを用いて、前記複数の画像のそれぞれにコンテキストスコアを割り当てるようにさらに構成され、前記コンテキストスコアは、前記コンテキストに関連する前記少なくとも１つのルーチンによって決定される、請求項１１に記載のシステム。
【請求項１４】
前記コンテキストスコアは、画像のコンテキスト、画像のＥＸＩＦデータ、場所データ、画像の撮影者、画像にアクセスするユーザ、画像中の物体、画像中の人々、画像の焦点、及び、ユーザの画像との相互作用のうちの少なくとも１つに基づく、請求項１３に記載のシステム。
【請求項１５】
前記プロセッサは、画像の向き、画像捕捉時間、画像中の人々、場所データ、及び画像中の物体のうちの少なくとも１つを用いて、前記複数の画像のうちの少なくとも１つを選択する、請求項１１に記載のシステム。
【請求項１６】
前記少なくとも１つのプロセッサは、前記コンテキストを提供するために、前記複数の画像の前記コンテキストを予測するようにさらに構成される、請求項１１に記載のシステム。
【請求項１７】
前記少なくとも１つのプロセッサは、前記複数の画像のうちの少なくとも１つの第１の画像を第１のユーザへ提示することと、前記複数の画像のうちの少なくとも１つの第２の画像を第２のユーザへ提示することを行うようにさらに構成される、請求項１１に記載のシステム。
【請求項１８】
前記少なくとも１つのプロセッサは、前記少なくとも１つの選択された画像を、権限のある複数のユーザへ共有するようにさらに構成される、請求項１１に記載のシステム。
【請求項１９】
前記選択された複数の画像は、異なる時期にわたって撮影された、請求項１１に記載のシステム。
【請求項２０】
前記選択された複数の画像は、異なる場所にわたって撮影された、請求項１１に記載のシステム。
【手続補正２】
【補正対象書類名】明細書
【補正対象項目名】００２３
【補正方法】変更
【補正の内容】
【００２３】
いくつかの実施形態において、選択された複数の画像は、異なる場所にわたって撮影された。
本願明細書は、例えば、以下の項目も提供する。
（項目１）
少なくとも１つの画像を選択するためのコンピュータ実施方法であって、前記方法は、
前記コンピュータへのインターフェースを用いて複数の画像を受け取ることと、
メモリ上に記憶される命令を実行する少なくとも１つのプロセッサにおいて、前記複数の画像に関連するコンテキストを受け取ることと、
前記プロセッサを用いて、前記コンテキストに関連する少なくとも１つのルーチンを実行することによって、前記複数の画像を分析することと、
前記プロセッサを用いて、前記少なくとも１つの実行されたルーチンの結果に基づいて、前記複数の画像のうちの少なくとも１つを選択することと
を備える、方法。
（項目２）
前記コンテキストはユーザから受け取られる、項目１に記載の方法。
（項目３）
前記プロセッサを用いて、前記複数の画像のそれぞれにコンテキストスコアを割り当てることをさらに備える、項目１に記載の方法であって、前記コンテキストスコアは、前記コンテキストと関連する前記少なくとも１つのルーチンによって決定される、方法。
（項目４）
前記コンテキストスコアは、画像のコンテキスト、画像のＥＸＩＦデータ、場所データ、画像の撮影者、画像にアクセスするユーザ、画像中の物体、画像中の人々、画像の焦点、及び、ユーザの画像との相互作用のうちの少なくとも１つに基づく、項目３に記載の方法。
（項目５）
前記複数の画像のうちの前記少なくとも１つを選択することは、画像の向き、画像捕捉時間、画像中の人々、場所データ、及び画像中の物体のうちの少なくとも１つを用いて、前記複数の画像のうちの少なくとも１つを選択することを含む、項目１に記載の方法。
（項目６）
前記コンテキストを提供するために、前記プロセッサを用いて、前記複数の画像の前記コンテキストを予測することをさらに備える、項目１に記載の方法。
（項目７）
前記選択された複数の画像のうちの少なくとも１つの第１の画像を第１のユーザへ提示することと、前記選択される複数の画像のうちの少なくとも１つの第２の画像を第２のユーザへ提示することとをさらに備える、項目１に記載の方法。
（項目８）
前記少なくとも１つの選択された画像を、権限のある複数のユーザへ共有することをさらに備える、項目１に記載の方法。
（項目９）
前記選択された複数の画像は、異なる時期にわたって撮影された、項目１に記載の方法。
（項目１０）
前記選択された複数の画像は、異なる場所にわたって撮影された、項目１に記載の方法。
（項目１１）
少なくとも１つの画像を選択するためのコンピュータ実施システムであって、前記システムは、
少なくとも複数の画像を受け取るための前記コンピュータへのインターフェースと、
少なくとも１つのプロセッサと
を備え、前記プロセッサは、
前記複数の画像に関連するコンテキストを受け取ることと、
前記コンテキストに関連する少なくとも１つのルーチンを実行することによって、前記複数の画像を分析することと、
前記少なくとも１つの実行されるルーチンの結果に基づいて、前記複数の画像のうちの少なくとも１つを選択することと
を行うように、メモリ上に記憶される命令を実行する、方法。
（項目１２）
前記コンテキストはユーザから受け取られる、項目１１に記載のシステム。
（項目１３）
前記少なくとも１つのプロセッサは、前記少なくとも１つのプロセッサを用いて、前記複数の画像のそれぞれにコンテキストスコアを割り当てるようにさらに構成され、前記コンテキストスコアは、前記コンテキストに関連する前記少なくとも１つのルーチンによって決定される、項目１１に記載のシステム。
（項目１４）
前記コンテキストスコアは、画像のコンテキスト、画像のＥＸＩＦデータ、場所データ、画像の撮影者、画像にアクセスするユーザ、画像中の物体、画像中の人々、画像の焦点、及び、ユーザの画像との相互作用のうちの少なくとも１つに基づく、項目１３に記載のシステム。
（項目１５）
前記プロセッサは、画像の向き、画像捕捉時間、画像中の人々、場所データ、及び画像中の物体のうちの少なくとも１つを用いて、前記複数の画像のうちの少なくとも１つを選択する、項目１１に記載のシステム。
（項目１６）
前記少なくとも１つのプロセッサは、前記コンテキストを提供するために、前記複数の画像の前記コンテキストを予測するようにさらに構成される、項目１１に記載のシステム。
（項目１７）
前記少なくとも１つのプロセッサは、前記複数の画像のうちの少なくとも１つの第１の画像を第１のユーザへ提示することと、前記複数の画像のうちの少なくとも１つの第２の画像を第２のユーザへ提示することを行うようにさらに構成される、項目１１に記載のシステム。
（項目１８）
前記少なくとも１つのプロセッサは、前記少なくとも１つの選択された画像を、権限のある複数のユーザへ共有するようにさらに構成される、項目１１に記載のシステム。
（項目１９）
前記選択された複数の画像は、異なる時期にわたって撮影された、項目１１に記載のシステム。
（項目２０）
前記選択された複数の画像は、異なる場所にわたって撮影された、項目１１に記載のシステム。